(57)【要約】      （修正有）【課題】色覚障害者には弁別が困難な色の表示を、色覚障害者自身が見やすい表示に調整することができる撮像装置を提供する。【解決手段】撮影確認画像と、撮影条件の表示と、ＡＦポイントの色調について、Ｒ．Ｇ．Ｂの各色の値を変更する色調調整手段を設け、かかる色調調整手段により、ユーザ自身が弁別困難な表示の色調を変更する。【選択図】図３
2013042446.tif 000002
【特許請求の範囲】
【請求項１】
撮影後、撮影画像を確認画像として表示する表示装置と、
光学式のファインダと、
前記ファインダの視野内に撮影条件を表示する撮影条件表示装置と、
前記ファインダの視野内において合焦時に点灯するＡＦポイントと
を有する撮像装置において、
撮影確認画像と、撮影条件の表示と、ＡＦポイントの色調について、Ｒ．Ｇ．Ｂの各色の値を変更する色調調整手段を有する撮像装置。
【請求項２】
撮影中または撮影後、撮影中の被写体や撮影画像を確認画像として表示する表示装置と、
前記表示装置内に撮影条件を表示する撮影条件表示装置と、
前記表示装置内において合焦時に点灯するＡＦポイントと、
合焦時に発光する合焦ランプと
を有する撮像装置において、
撮影確認画像と、撮影条件の表示と、合焦時に発光するＡＦポイントと、合焦時に発光する合焦ランプの色調について、Ｒ．Ｇ．Ｂの各色の値を変更する色調調整手段
を有する撮像装置。
【請求項３】
前記色調調整手段において、撮影確認画像または予め撮像装置に記憶された画像のＲ．Ｇ．Ｂの各色の値を変更し、撮影条件の表示とＡＦポイントの発光のいずれか一方、又は両方に、撮影確認画像または予め撮像装置に記憶された画像に対して行ったＲ．Ｇ．Ｂの各色の値の変更の結果を反映させることを特徴とする、
画像処理システムを有する請求項１又は請求項２に記載の撮像装置。
【発明の詳細な説明】
【技術分野】
【０００１】
本発明は、色覚障害者の補助機能を有する撮像装置に関し、特に個々の色覚障害者にとって見えにくい色を見えやすい色に変更することが可能な色調調整機能を有する撮像装置である。
【背景技術】
【０００２】
従来のフイルムカメラに代わり、固体撮像素子を用いて、被写体からの光を光電変換することにより撮像し、取得した画像信号をデジタルの撮影画像データとして変換し、メモリカード等の記憶媒体に記憶する撮像装置が普及している。
【０００３】
通常、このような撮像装置においては、撮影した画像や撮影中の被写体像は、撮影中又は撮影後、撮像装置の背面に設置された液晶などの表示装置に表示される。
【０００４】
通常、撮影中の被写体像や撮影画像を確認するのに、上記のような構成に問題はない。しかしながら、色覚障害者においては、撮影中の被写体像や撮影画像の確認の際、色認識の問題がある。
【０００５】
上記の色認識の問題とは、一般に色覚障害者は、その色覚障害のタイプから、個人によって異なる、特定の色の弁別が困難であることに起因する。
【０００６】
例えば、被写体が色覚障害者にとって弁別が困難な配色をしていた場合などに、色覚障害者は被写体を認識しづらく、撮影が困難であるという問題があった。
【０００７】
従来の技術では、色覚障害者の色弁別を補助する機能として、例えば以下の特許文献に記載されているものがある。
【先行技術文献】
【特許文献】
【０００８】
【特許文献１】特公平６−８２３８５号公報
【０００９】
【特許文献２】特開２００６−８６８８６号公報
【００１０】
引用文献１には色覚障害者がどのように見えているかをシミュレートし、また、色覚障害者が認識することが困難な配色を見やすく変換する発明が記載されている。
【００１１】
引用文献２には撮影画像からユーザが指定したエリアの色情報を抽出し、エリア内の色名やＲＧＢの値を表示することで、色覚障害者に、撮影画像データの指定したエリアの色を知らせる発明が記載されている。
【発明の概要】
【発明が解決しようとする課題】
【００１２】
しかしながら、引用文献１に記載された技術は、色覚障害者を予め分類し、かかる分類において色覚障害者が認識することが困難な配色を見やすく変換している。そのため、個々の色覚障害者に合わせた調整を行うことができないという問題があった。
【００１３】
また、引用文献２に記載された発明は、例えば、色覚障害者に識別が困難な色部分が見やすくなるわけではなく、指定したエリアの正しい色はわかっても、弁別が困難な配色の被写体は弁別が困難なままであるという問題があった。
【００１４】
また、撮像を行う際には、被写体像以外にもファインダや表示器に表示されるもので、色覚障害者が弁別困難なものがあり、色覚障害者が撮像を行う際に不便を感じることがあった。
【課題を解決するための手段】
【００１５】
第１の発明は、撮影後、撮影画像を確認画像として表示する表示装置と、光学式のファインダと、前記ファインダの視野内に撮影条件を表示する撮影条件表示装置と、前記ファインダの視野内において合焦時に点灯するＡＦポイントとを有する撮像装置において、撮影確認画像と、撮影条件の表示と、ＡＦポイントの色調について、Ｒ．Ｇ．Ｂの各色の値を変更する色調調整手段を有する撮像装置を提供する。
【００１６】
第２の発明は、撮影中または撮影後、撮影中の被写体や撮影画像を確認画像として表示する表示装置と、前記表示装置内に撮影条件を表示する撮影条件表示装置と、前記表示装置内において合焦時に点灯するＡＦポイントと、合焦時に発光する合焦ランプとを有する撮像装置において、撮影確認画像と、撮影条件の表示と、合焦時に発光するＡＦポイントと、合焦時に発光する合焦ランプの色調について、Ｒ．Ｇ．Ｂの各色の値を変更する色調調整手段を有する撮像装置を提供する。
【００１７】
第３の発明は、前記色調調整手段において、撮影確認画像または予め撮像装置に記憶された画像のＲ．Ｇ．Ｂの各色の値を変更し、撮影条件の表示とＡＦポイントの発光のいずれか一方、又は両方に、撮影確認画像または予め撮像装置に記憶された画像に対して行ったＲ．Ｇ．Ｂの各色の値の変更の結果を反映させることを特徴とする、画像処理システムを有する請求項１又は請求項２に記載の撮像装置を提供する。
【発明の効果】
【００１８】
色覚障害者には弁別が困難な色の表示を、色覚障害者自身が見やすい表示に調整することができる撮像装置を提供することができる。
【図面の簡単な説明】
【００１９】
【図１】本発明の第１実施例を適用して構成された一眼レフカメラの要部構造と制御系の概略図
【図２】本発明の第１実施例における色調調整処理のフローチャート
【図３】本発明における色調調整を行う際に表示装置に表示されるターゲットリングを示す図
【図４】本発明の実施例２を適用して構成されたコンパクトデジタルカメラの要部構造と制御系の概略図
【図５】本発明の実施例２における色調調整処理のフローチャート
【発明を実施するための形態】
【００２０】
図１は本発明の第１実施例を実施して構成された一眼レフカメラの要部構造と制御系の概略図である。同図において１は撮像装置、２は撮像装置１に装着可能な撮影レンズ光学系である。
【００２１】
撮影レンズ光学系２には以下の装置が搭載されている。
【００２２】
３は光学系、４は絞り装置、５はフォーカスレンズ群、６は絞り装置４を駆動する絞りモータ、７はフォーカスレンズ群５を駆動するフォーカス駆動モータ、８はレンズ内の各デバイスを制御するレンズＣＰＵである。
【００２３】
一方、撮像装置１には以下の装置が搭載されている。
【００２４】
９は昇降動可能なミラー、１０は前記ミラーを昇降動させるためのミラー駆動モータ、１１はペンタプリズム、１２はファインダ接眼レンズ、１３はファインダ内表示装置、１４はＳＰＤ（シリコンフォトダイオード）等から成る測光素子、１５はシャッタ、１６は固体撮像素子、１７はタッチパネル操作が可能な液晶装置などから成る表示器、１８は撮影者の押し込み動作によって撮影を行うレリーズボタン、１９はカメラの露出モード等を切り替えるモードダイヤル、２０は電源、２１はフラッシュ装置、２２はカメラＣＰＵである。カメラＣＰＵ２２は色調調整部２２ａと色調記憶部２２ｂと色調反映部２２ｃを有している。
【００２５】
ファインダ内表示装置１３は例えば電池残量、撮影モード、絞り値、シャッタースピード等の撮影情報を表示する。また、ＡＦポイント等の表示も行い、合焦時にはかかるＡＦポイントを所定の色で発光させる。
【００２６】
色調調整部２２ａは、ファインダ内表示装置１３が表示する撮影情報の表示や、合焦時に発光するＡＦポイントや、表示器１７が表示する撮影中や撮影後の被写体の色調をユーザの操作に合わせて調整する。調整方法は公知の画像処理技術による。
【００２７】
例えば、かかる色調調整を行う場合には、表示器１７に色調調整のターゲットリングを表示する。そして、ユーザはかかるターゲットリングを操作することによって、ファインダ内表示装置１３が表示する撮影情報の表示や、合焦時に発光するＡＦポイントや、表示器１７が表示する撮影中や撮影後の被写体の色調を希望の色調に調整する。
【００２８】
図３は第１実施例におけるターゲットリングを示す図である。
【００２９】
タッチパネル機能を有する表示器１７に、かかるターゲットリングを表示させ、ユーザは指先でターゲットリングの中心に触れる。そして、中心からＲ方向に指をスライドすれば、表示器１７において色調調整中の表示は赤みが強くなり、Ｂ方向にスライドすれば青みが強くなり、Ｇ方向にスライドすれば緑が強くなる。これはかかるユーザの操作に応じて色調調整部２２ａがＲ・Ｇ・Ｂの値を調整するためである。
【００３０】
また、上記の通り、色調調整の操作については、表示器１７に用いられる液晶装置におけるタッチパネル操作による。
【００３１】
色調記憶部２２ｂは、ユーザの行った色調調整の情報を記憶する。たとえば、撮影画像に対して色調調整を行った際に、標準状態の色調から赤、緑、青の各色をどの程度強めたか、又は弱めたかという色調調整情報を記憶しておく。
【００３２】
色調反映部２２ｃは、前記色調記憶部２２ｂに記憶された色調調整情報を、表示器１７に表示される撮影中や撮影後の被写体や、撮影情報や合焦時に発光するＡＦポイントなどの色調に反映させる。
【００３３】
例えば、撮影画像に対して色調調整を行った際に、標準状態の色調から赤、緑、青の各色をどの程度強めたか、又は弱めたかという色調調整情報を色調記憶部２２ｂに記憶しておく。そして、色調反映部２２ｃは、色調記憶部２２ｂから読み出された色調調整情報を、ファインダ内表示装置１３が表示する撮影情報の表示や合焦時に発光するＡＦポイントの色調などに反映させる。
【００３４】
図２は第１実施例における色調調整処理のフローチャートである。
【００３５】
かかる図２を用いて、本発明の第１実施例の色調調整処理について述べる。
【００３６】
まず、ステップ＃１０１で、ユーザが撮像装置１の電源をＯＮにする。
【００３７】
次に、ステップ＃１０２で色調整モードを選択する。これにより、表示器１７に撮影後の被写体画像又は色調調整用に予め撮像装置１内に記憶された画像と、色調調整のターゲットリングを表示する。
【００３８】
予め撮像装置１内に記憶された画像としては、一般的なカラーチャートのような画像を用いるのが望ましい。カラーチャートのような画像であれば、色のパターンが多く、色の弁別の可否をチェックしやすいためである。
【００３９】
次に、ステップ＃１０３でユーザは表示器１７のタッチパネルを操作する。これに対応して色調調整部２２ａは表示器１７に表示された画像の色調を調整する。
【００４０】
次に、ユーザが色調調整を行い、ユーザが表示器１７に表示された画像が見やすい色調になったと判断したら、ユーザは色調調整作業を終了し、ステップ＃１０４で色調調整情報を保存するか否かを判断する。
【００４１】
色調調整情報を保存する場合にはステップ＃１０５へ進み、保存しない場合には色調調整処理を完了する。
【００４２】
ステップ＃１０５で、色調調整情報を色調記憶部２２ｂに記憶する。かかる色調調整情報はステップ＃１０３で行ったときのものである。
【００４３】
次に、ステップ＃１０６で色調反映部２２ｃは、色調記憶部２２ｂに記憶された色調調整情報を読み出し、ファインダ内表示装置１３が表示する撮影情報の表示や、合焦時に発光するＡＦポイントや、表示器１７が表示する撮影中や撮影後の被写体の色調に反映させ、色調調整処理を完了する。
【００４４】
上記の通り、一度行った色調調整の結果は色調調整情報として色調記憶部２２ｂに保存され、その後の表示に適応される。そのため、これ以降、表示装置１７に被写体を表示して撮影を行うライブビュー撮影を行う場合には、保存された色調調整情報によってすでに色調が調整された被写体が表示される。
【００４５】
このため、第１実施例では、ファインダ光学系を有する撮像装置において、色調調整部２２ａが色調調整を行い、色調調整情報を色調記憶部２２ｂに保存した場合には、その後の表示装置１７の表示やファインダ内の表示は常にユーザにとって見やすい色調とすることができる。
【００４６】
また、第１実施例では、色調調整部２２ａが撮影後の被写体画像や色調調整用に予め用意された画像に対してのみ直接色調調整を行い、色調記憶部２２ｂに色調調整情報を記憶させて、色調調整情報をファインダ内表示装置１３が表示する撮影情報の表示や合焦時に発光するＡＦポイントに反映させているが、ファインダ内表示装置１３が表示する撮影情報の表示や合焦時に発光するＡＦポイントの色調に対して個別に直接、色調調整を行っても構わない。
【００４７】
つまり、色調記憶部２２ｂに色調調整情報を記憶させて、色調調整情報をファインダ内表示装置１３が表示する撮影情報の表示や合焦時に発光するＡＦポイントの色調に反映させるか否かをユーザが選択する構成としてもよい。
【００４８】
反映させない場合、上記のように、ファインダ内表示装置１３が表示する撮影情報の表示や合焦時に発光するＡＦポイントの色調に個別に色調調整を行う構成とするか、またはファインダ内表示装置１３が表示する撮影情報の表示や合焦時に発光するＡＦポイントの色調に対しては色調調整を行わない構成とする。
【００４９】
また、第１実施例では、撮影後の被写体画像や色調調整用に予め用意された画像に対して色調調整を行い、ファインダ内表示装置１３が表示する撮影情報の表示や合焦時に発光するＡＦポイントに反映させているが、ファインダ内表示装置１３が表示する撮影情報の表示や合焦時に発光するＡＦポイントに対して色調調整を行い、撮影中や撮影後の被写体像に反映させても構わない。また、当然、合焦時に発光するＡＦポイントの色調についてのみ色調調整をしたり、ファインダ内表示装置１３が表示する撮影情報の表示についてのみ色調調整を行う構成としても構わない。
【００５０】
また、第１実施例では、色調調整を行う際、図３に示すようなターゲットリングを表示して色調調整を行うようにしたが、中心を標準とし、一方を加算、他方を減算とするバーをＲ・Ｇ・Ｂ各色でそれぞれ表示し、かかるバーによってＲ・Ｇ・Ｂの各色を調整することで色調調整を行う構成としてもよい。
【００５１】
また、第１実施例では、ユーザが色調調整の操作を行う際、表示器１７のタッチパネル機能を用いるようにしたが、不図示の操作ボタンで色調調整の操作を行わせても構わない。
【００５２】
次に、第２実施例について説明する。
【００５３】
図４は第２実施例を実施して構成されたコンパクトデジタルカメラの要部構造と概略図である。
【００５４】
第２実施例は、コンパクトデジタルカメラであるため、光学式ファインダと光学式ファインダに関係する装置を有さない点と、撮影レンズと撮像装置が一体である点、測光素子を有しない点、合焦ランプ２３を有している点で第１実施例と相違している。
【００５５】
上記の通り、第２実施例のコンパクトデジタルカメラにおいては光学式ファインダを有していない。そのため、第１実施例においてはファインダ内表示装置によってファインダ視野内に表示される撮影情報は、第２実施例においては表示器１７の画面内に表示される。
【００５６】
また、合焦ランプ２３は例えば公知の７色ＬＥＤを用いる。７色ＬＥＤは赤・青・緑の３色のＬＥＤチップを有しており、３色の組み合わせによって色を調整する。赤・青・緑の各色の割合は電圧によって調整される。
【００５７】
そのため、第２実施例においては、色調調整部２２ａで赤・青・緑の各色の調整を行い、かかる色調調整の情報をもとに合焦ランプ２３のＬＥＤチップの電圧を調整し、ユーザの任意の色で合焦ランプ２３を発光することができる。
【００５８】
つまり、通常、合焦ランプ２３は合焦時に緑色や赤色等に発光するが、これが見えづらいユーザは、これを見やすい色に自由に調整することができる。
【００５９】
そのほかは、光学系、絞り装置、絞り駆動モータ、フォーカスレンズ群、フォーカス駆動モータ、固体撮像素子、シャッタ、表示器、レリーズボタン、モードダイヤル、電源、フラッシュ装置、ＣＰＵ、色調調整部、色調記憶部、色調反映部を有している点で第２実施例と第１実施例は同様である。
【００６０】
次に、第２実施例における色調調整処理動作について述べる。
【００６１】
図５は第２実施例における色調調整処理動作を示すフローチャートである。
【００６２】
まず、ステップ＃２０１で、ユーザが撮像装置１の電源をＯＮにする。
【００６３】
次に、ステップ＃２０２で、色調整モードを選択する。これにより、表示器１７に撮影後の被写体像又は色調調整用に予め撮像装置１に記憶された画像と、色調調整のターゲットリングを表示する。
【００６４】
予め撮像装置１内に記憶された画像としては、一般的なカラーチャートのような画像を用いるのが望ましい。カラーチャートのような画像であれば、色のパターンが多く、色の弁別の可否をチェックしやすいためである。
【００６５】
次に、ステップ＃２０３で、ユーザは表示器１７のタッチパネルを操作する。これに対応して色調調整部２２ａは表示器１７に表示された画像の色調を調整する。
【００６６】
次に、ユーザが色調調整を行い、ユーザが表示器１７に表示された画像が見やすい色調になったと判断したら、ユーザは色調調整作業を終了し、ステップ＃２０４で色調調整情報を保存するか否かを判断する。
【００６７】
色調調整情報を保存する場合にはステップ＃２０５へ進み、保存しない場合には色調調整処理を完了する。
【００６８】
次に、ステップ＃２０５で、色調調整情報を色調記憶部２２ｂに記憶する。かかる色調調整情報はステップ＃２０３で色調調整を行ったときのものである。
【００６９】
次に、ステップ＃２０６で色調反映部２２ｃは色調記憶部２２ｂに記憶された色調調整情報を読み出し、表示器１７が表示する撮影情報の表示や、合焦時に発光するＡＦポイントや、表示器１７が表示する撮影中や撮影後の被写体の色調や、合焦ランプ２３の色調を調整する。
【００７０】
上記の通り、一度行った色調調整の結果は色調調整情報として色調記憶部２２ｂに保存され、その後の表示に適応される。そのため、これ以降、表示器１７に被写体を表示して撮影を行うライブビュー撮影を行う場合には、保存された色調調整情報によってすでに色調が調整された被写体が表示される。
【００７１】
このため、第２実施例では、コンパクトデジタルカメラにおいて、色調調整部２２ａが色調調整を行い、色調調整情報を色調記憶部２２ｂに保存した場合には、その後の表示器１７の表示は常にユーザにとって見やすい色調とすることができる。
【００７２】
また、実施例２では、色調調整部２２ａが撮影後の被写体画像や色調調整用に予め用意された画像に対してのみ直接色調調整を行い、色調記憶部２２ｂに色調調整情報を記憶させて、色調調整情報を表示器１７に表示される撮影情報の表示や合焦時に発光するＡＦポイントや合焦ランプ２３の色調に反映させているが、表示器１７に表示される撮影情報の表示や合焦時に発光するＡＦポイントや合焦ランプ２３の色調に対して個別に直接、色調調整を行っても構わない。
【００７３】
つまり、色調記憶部２２ｂに色調調整情報を記憶させて、色調調整情報を表示器１７に表示される撮影情報の表示や合焦時に発光するＡＦポイントや合焦ランプ２３の色調に反映させるか否かをユーザが選択する構成としてもよい。
【００７４】
反映させない場合、上記のように、表示器１７に表示される撮影情報の表示や合焦時に発光するＡＦポイントや合焦ランプ２３の色調に個別に色調調整を行う構成とするか、または表示器１７に表示される撮影情報の表示や合焦時に発光するＡＦポイントや合焦ランプ２３の色調に対しては色調調整を行わない構成とする。
【００７５】
また、第２実施例では、撮影後の被写体画像や色調調整用に予め用意された画像の色調に対して色調調整を行い、表示器１７に表示される撮影情報の表示や合焦時に発光するＡＦポイントや合焦ランプ２３の色調に反映させているが、表示器１７に表示される撮影情報の表示や合焦時に発光するＡＦポイントや合焦ランプ２３の色調に対して色調調整を行い、撮影中や撮影後の被写体像に反映させても構わない。また、当然、合焦時に発光するＡＦポイントの色調についのみ色調調整をしたり、ファインダ内表示装置１３が表示する撮影情報の表示についてのみ色調調整を行う構成としたり、合焦ランプ２３の発光についてのみ色調調整を行う構成としても構わない。
【００７６】
また、第２実施例では、色調調整を行う際、図３に示すようなターゲットリングを表示して色調調整を行うようにしたが、中心を標準とし、一方を加算、他方を減算とするバーをＲ・Ｇ・Ｂ各色でそれぞれ表示し、かかるバーによってＲ・Ｇ・Ｂの各色を調整することで色調調整を行う構成としてもよい。
【００７７】
また、第２実施例では、ユーザが色調調整の操作を行う際、表示器１７のタッチパネル機能を用いるようにしたが、不図示の操作ボタンで色調調整の操作を行わせても構わない。
【符号の説明】
【００７８】
１  撮像装置
２  撮影レンズ光学系
３  光学系
４  絞り装置
５  フォーカスレンズ群
６  絞り駆動モータ
７  フォーカス駆動モータ
８  レンズＣＰＵ
９  ミラー
１０  ミラー駆動モータ
１１  ペンタプリズム
１２  ファインダ接眼レンズ
１３  ファインダ内表示装置
１４  測光素子
１５  シャッタ
１６  撮像素子
１７  表示器
１８  レリーズボタン
１９  モードダイヤル
２０  電源
２１  フラッシュ装置
２２  カメラＣＰＵ
２２ａ  色調調整部
２２ｂ  色調記憶部
２２ｃ  色調反映部
２３  合焦ランプ
【図１】
2013042446.tif 000003
【図２】
2013042446.tif 000004
【図４】
2013042446.tif 000005
【図５】
2013042446.tif 000006
【図３】
2013042446.tif 000007